(57)【特許請求の範囲】
【請求項１】
前方が開口する遮蔽部材の内側に配置される自動取引装置であって、
前面に開口部が形成された筐体と、
前記開口部を開閉可能に覆う前扉と、を備え、
前記筐体の側面は、前記遮蔽部材に近接して配置され、
前記前扉の側面には、当該前扉を解錠状態又は施錠状態に可能な鍵部が設けられており、
前記鍵部は、前記遮蔽部材のうち、少なくとも前記前扉の側面から離間する方向に窪ませて形成された窪部に対向して設けられる
ことを特徴とする自動取引装置。
【請求項２】
前記前扉の側面には、凹部が設けられ、
前記鍵部は、前記凹部内に設けられ、前記凹部の開口面と面一又は前記開口面よりも内側に位置していることを特徴とする請求項１に記載の自動取引装置。
【請求項３】
前記鍵部は、前記前扉の側面の上部に設けられていることを特徴とする請求項１又は請求項２に記載の自動取引装置。
【請求項４】
前記鍵部に鍵が挿入されたこと又は前記鍵部に前記鍵が挿入されて回されたことを検知する鍵検知部と、
前記鍵検知部が検知した結果に基づき、操作表示部に保守画面を表示させるよう制御する制御部と、を更に備えたことを特徴とする請求項１乃至請求項３のいずれか一項に記載の自動取引装置。
【請求項５】
前面に開口部が形成された筐体と前記開口部を開閉可能に覆う前扉とを備えた自動取引装置と、前記自動取引装置の外側に配置されており、前方が開口する遮蔽部材とを備えた、自動取引装置の防犯構造であって、
前記前扉の側面には、当該前扉を開錠状態又は施錠状態に可能な鍵部が設けられており、
前記筐体の側面は、前記遮蔽部材に近接して配置されており、
前記遮蔽部材のうち前記鍵部に対向する部分には、前記前扉の側面から離間する方向に窪ませた窪部が形成されていることを特徴とする自動取引装置の防犯構造。
【発明の詳細な説明】
【技術分野】
【０００１】
本発明は、自動取引装置及び自動取引装置の防犯構造に関するものである。
【背景技術】
【０００２】
従来、金融機関の店舗やコンビニエンスストア等に設置され、利用者が操作して入金や出金等の取引を行う現金自動預払装置（Automatic Teller Machine；ＡＴＭ）が知られている。
【０００３】
例えば、特許文献１又は特許文献２には、金種別に現金を保管する現金カセット等の機器類を内部に収納する筐体と、筐体の前面下部に形成された開口部を開閉可能に覆う前扉と、を備えた現金自動預払装置が開示されている。
【先行技術文献】
【特許文献】
【０００４】
【特許文献１】特開平１０−４０４４５号公報
【特許文献２】特開２００２−３０８６０号公報
【発明の概要】
【発明が解決しようとする課題】
【０００５】
ところが、前記特許文献１又は特許文献２に記載の現金自動預払装置では、前扉を開錠又は施錠する鍵部が前扉の前面に設けられており、視認しやすい位置にあるので、鍵部の鍵穴に異物を入れたり、鍵穴を変形したりする悪質ないたずらの標的になりやすくなってしまい、保守管理上（防犯上）問題があった。
【０００６】
なお、このような問題は、例えば、発券機や自動販売機等の他の自動取引装置にも共通してあてはまる問題である。
【０００７】
本発明は、このような観点から創案されたものであり、悪質ないたずらを抑制可能な自動取引装置及び自動取引装置の防犯構造を提供することを課題とする。
【課題を解決するための手段】
【０００８】
前記課題を解決するため本発明は、前方が開口する遮蔽部材の内側に配置される自動取引装置であって、前面に開口部が形成された筐体と、前記開口部を開閉可能に覆う前扉と、を備え、前記筐体の側面は、前記遮蔽部材に近接して配置され、前記前扉の側面には、当該前扉を解錠状態又は施錠状態に可能な鍵部が設けられており、前記鍵部は、前記遮蔽部材のうち、少なくとも前記前扉の側面から離間する方向に窪ませて形成された窪部に対向して設けられることを特徴とする。
【０００９】
本発明によれば、前扉の側面に鍵部が設けられていることにより、前扉の前面に鍵部を設けた従来構造に比較して、自動取引装置を正面から見たときに鍵部が目立たなくなり、視認しにくい位置にあるので、悪質ないたずらを抑制できる。
【発明の効果】
【００１０】
本発明によれば、悪質ないたずらを抑制可能な自動取引装置及び自動取引装置の防犯構造を提供することができる。
【図面の簡単な説明】
【００１１】
【図１】本実施形態に係る現金自動預払装置の防犯構造を示す概略斜視図である。
【図２】図１に示す現金自動預払装置の前扉の開き状態を示す概略斜視図である。
【図３】図１の平面図である。
【図４】本実施形態に係る現金自動預払装置の機能ブロック図である。
【図５】変形例に係る前扉を示す水平断面図である。
【図６】従来の現金自動預払装置及びブースを示す概略斜視図である。
【発明を実施するための形態】
【００１２】
本発明の実施形態について、図面を参照して詳細に説明する。説明において、同一の要素には同一の符号を付し、重複する説明は省略する。本実施形態では、本発明の自動取引装置の防犯構造を、現金自動預払装置に適用した場合を例にとって説明する。
【００１３】
図１は、本実施形態に係る現金自動預払装置の防犯構造を示す概略斜視図である。図２は、図１に示す現金自動預払装置の前扉の開き状態を示す概略斜視図である。図３は、図１の平面図である。図４は、本実施形態に係る現金自動預払装置の機能ブロック図である。なお、図２では、説明の便宜上、ブース２を省略して描いている。
図１に示すように、現金自動預払装置の防犯構造１００は、現金自動預払装置１と、ブース２と、を備える。
【００１４】
＜現金自動預払装置＞
図１及び図２に示すように、自動取引装置たる現金自動預払装置１は、利用者が操作して入金や出金等の取引を行う装置であり、ブース２の内側に配置されている。現金自動預払装置１は、開口部３ｇが形成された筐体３と、開口部３ｇを開閉可能に覆う前扉４と、前扉４を開錠状態又は施錠状態に可能な鍵部５と、を備える。また、図４に示すように、現金自動預払装置１は、操作表示部３１と、カード処理部３２と、レシート処理部３３、入出金部３４と、テンキー部３５と、制御部３６と、を備える。
【００１５】
＜筐体＞
図１及び図２に戻り、筐体３は、金種別に紙幣を保管する図示しない現金カセット等の機器類を内部に収納する部材である。筐体３は、取引時に利用者が対峙する前壁部３ａと、前壁部３ａの後方に離間して設けられた後壁部３ｂと、前壁部３ａ及び後壁部３ｂの左右両端を繋ぐ一対の側壁部３ｃ，３ｄと、上下方向に離間して前壁部３ａ、後壁部３ｂ、及び側壁部３ｃ、３ｄの上下端を繋ぐ上壁部３ｅ及び下壁部３ｆと、を有する。
【００１６】
前壁部３ａは、筐体３の前面を構成しており、側壁部３ｃ，３ｄは、筐体３の側面を構成している。前壁部３ａの下部には、図２に示すように、矩形状を呈する開口部３ｇが形成され、前壁部３ａの上部には、操作表示部３１、カード挿入排出口３２ａ、レシート排出口３３ａ、シャッタ３４ａ、及びテンキー部３５等が設けられている。
【００１７】
操作表示部３１は、タッチパネル式ディスプレイ装置であり、取引処理に関する様々な情報を表示する機能と、暗証番号、金額、取引の承認、及び取消等を入力する機能とを兼ね備える。すなわち、操作表示部３１は、操作手順やその他の情報を画面に表示して利用者を誘導すると共に、暗証番号等に対応するキーを表示し、利用者の入力を受け付けるように構成されている。また、操作表示部３１は、後記する鍵部５の鍵穴５ａに鍵が差し込まれると、保守画面を表示する機能を備えている。
【００１８】
カード挿入排出口３２ａは、例えば、キャッシュカード等の顧客識別用カードが挿入又は排出される部分である。カード挿入排出口３２ａの奥部には、カード処理部３２（図４参照）が配置されている。カード処理部３２は、顧客識別用カードから、金融機関毎のコード、顧客の口座番号、及び氏名等の顧客情報を読み取る機能を有する。この場合、現金自動預払装置１は、顧客識別用カードがカード挿入排出口３２ａに挿入されると、顧客識別用カードを内部に取り込み、カード処理部３２によって顧客情報を読み取るように構成されている。一方、現金自動預払装置１は、取引が終了すると、カード挿入排出口３２ａから顧客識別用カードを排出するように構成されている。
【００１９】
レシート排出口３３ａは、取引明細が印字されたレシートが排出される部分である。レシート排出口３３ａの奥部には、レシート処理部３３（図４参照）が配置されている。レシート処理部３３は、レシートに取引明細の印字を行って発行する機能を有する。
【００２０】
シャッタ３４ａは、現金が投入又は排出される図示しない入出金口を開閉可能に覆う部材である。シャッタ３４ａは、例えば、モータ等の駆動手段によって駆動され、入出金口を開閉するように構成されている。この場合、入金時及び出金時には、シャッタ３４ａが開いた状態になり、入出金口が外部に露出し、現金の投入又は取り出しが可能となる。入出金口の奥部には、入出金部３４（図４参照）が配置されている。入出金部３４は、利用者によって入出金口に投入された紙幣を鑑別かつ計数して現金カセットに収納する入金処理を行う機能と、利用者が指定した金種及び金額の紙幣を現金カセットから繰り出して鑑別かつ計数した後、入出金口から出金する出金処理を行う機能とを兼ね備える。
【００２１】
テンキー部３５は、暗証番号等を入力する機能を有する。この場合、利用者は、操作表示部３１に表示される画面の指示に従い、テンキー部３５を操作して暗証番号等を入力する。
【００２２】
図４に示すように、制御部３６は、ＣＰＵにより構成され、現金自動預払装置１の全体動作を制御する機能を有する。
【００２３】
＜前扉＞
前扉４は、図２に示すように、右端部（一端部）４ｄが筐体３にヒンジ固定され、ヒンジ軸を中心として（右端部４ｄを中心として）前後方向に回動する片開き扉である。前扉４の左端部（他端部）４ｅには、側壁部４ｃが前壁部４ａに対し直交する方向に延出形成されている。すなわち、前扉４は、取引時に利用者が対峙する前壁部４ａと、前壁部４ａの一端から筐体３側へ向けて延出して筐体３にヒンジ固定される側壁部４ｂと、前壁部４ａの他端から筐体３側へ向けて延出する側壁部４ｃと、を有する。
【００２４】
前壁部４ａは、前扉４の前面を構成しており、側壁部４ｂ，４ｃは、前扉４の側面を構成している。なお、本実施形態では、前扉４を閉じた状態において、側壁部４ｂ，４ｃの外面と筐体３の側壁部３ｃ，３ｄの外面とが面一になるように構成されている（図１，図３参照）。
【００２５】
＜鍵部＞
鍵部５は、前扉４を開錠又は施錠するキーシリンダーであり、公知の鍵部の中から適宜選択して用いられる。本実施形態では、矩形状を呈する鍵穴５ａの長手方向が上下方向に一致する状態で図示しない鍵を抜き差し可能に構成され、かつ鍵を右に回すと開錠され、鍵を左に回すと施錠されるように構成されている。鍵部５は、前扉４の側壁部４ｃの上部に設けられている。鍵部５は、図４に示すように、鍵を検知する鍵検知部５１を有する。鍵検知部５１は、鍵部５の鍵穴５ａに鍵が挿入されたことを検知するための検知部である。検知結果は、制御部３６に送られるようになっている。そして、制御部３６は、鍵検知部５１から出力された検知結果に応じて、操作表示部３１に保守画面を表示させるよう制御する。
【００２６】
＜ブース＞
遮蔽部材たるブース２は、図１及び図３に示すように、現金自動預払装置１の外側に配置される平面視してコ字状の部材である。ブース２は、前方が開口しており、筐体３の側壁部３ｃ，３ｄ及び後壁部３ｂと前扉４の側壁部４ｂ，４ｃを外側から覆うように配置されている。ブース２は、左右方向に離間する一対の側壁部２ａ，２ｂと、一対の側壁部２ａ，２ｂの後端を繋ぐ後壁部２ｃと、を有する。
【００２７】
側壁部２ａ，２ｂは、図３に示すように、筐体３の側壁部３ｃ，３ｄ及び前扉４の側壁部４ｂ，４ｃに近接して配置された部分である。側壁部２ａ，２ｂの内面前部には、他の部分と比較して側壁部３ｃ，３ｄ，４ｂ，４ｃから離間する方向に窪んだ前方開口状の窪部２ｄ，２ｄが形成されている。側壁部２ａ側の窪部２ｄは、側壁部２ａのうち鍵部５と対向する部分（左右方向で重なる部分）に設けられている。
【００２８】
これにより、側壁部２ａと鍵部５（側壁部４ｃ）との間には、保守スペースＳが形成される。そのため、前扉４の側壁部４ｃに鍵部５を設けた場合であっても、保守スペースＳを利用して鍵部５の開錠・施錠を行うことが可能となり、筐体３の内部に配置された機器類のメンテナンス作業や点検作業等を支障なく行うことができる。
【００２９】
後壁部２ｃは、筐体３の後壁部３ｂに近接して配置された部分である。
【００３０】
本実施形態に係る現金自動預払装置１の防犯構造１００は、基本的に以上のように構成されるものであり、次に、その作用効果について説明する。
【００３１】
本実施形態では、前扉４の側壁部４ｃに鍵部５が設けられることにより、前扉２２０の前面２２０ａに鍵部２３０を設けた従来構造（図６参照）に比較して、現金自動預払装置１を正面から見たときに鍵部５が目立たなくなり、視認しにくい位置にあるので、悪質ないたずらを抑制できる。
【００３２】
また、現金自動預払装置１を正面から見たときに鍵部５が目立たなくなるように、筐体３の側壁部３ｃに鍵部５を設けることが考えられる。しかしながら、筐体３は金種別に紙幣を保管する図示しない現金カセット等の機器類を内部に収納しており、図示しない現金カセット等の機器類を内部から引き出すためのスライドレール等が筐体３の側壁部３ｃに取り付けられているため、側壁部３ｃには鍵部５を設けることができない。本実施形態では、前扉４の側壁部４ｃに鍵部５が設けられることにより、現金自動預払装置１を正面から見たときに鍵部５が目立たなく、視認しにくい位置に鍵部５を設けることができる。
【００３３】
本実施形態では、現金自動預払装置１は、ブース２の内側に配置され、かつ鍵部５が設けられた側壁部４ｃは、ブース２の側壁部２ａに近接して配置されているので、鍵部５がより一層目立たなくなり、悪質ないたずらをより一層抑制できる。
【００３４】
図６は、従来の現金自動預払装置及びブースを示す概略斜視図である。図６に示すように、従来構造では、ブース３００の内側に現金自動預払装置２００を配置すると、現金自動預払装置２００とブース３００との間に保守スペースを確保できないので、前扉２２０の前面２２０ａに鍵部２３０を必然的に設ける必要があった。これに対し、本実施形態では、図１及び図３に示すように、側壁部２ａのうち鍵部５と対向する部分に窪部２ｄを設けることにより、現金自動預払装置１とブース２との間に保守スペースＳを確保できるので、前扉４の側壁部４ｃに鍵部５を設けることが可能となる。換言すると、保守スペースＳを確保できるので、前扉４の側壁部４ｃに鍵部５を設けた場合であっても、保守スペースＳを利用して前扉４の開錠・施錠を行うことが可能となり、筐体３の内部に収納された機器類のメンテナンス作業や点検作業等を支障なく行うことができる。
【００３５】
ちなみに、前扉４の開錠・施錠を行える必要最低限の寸法で保守スペースＳを形成することにより、悪質ないたずらを抑制する機能を損なうことなく、メンテナンス作業や点検作業等を行うことができる。
【００３６】
また、前扉４の開錠・施錠を行える必要最低限の寸法で保守スペースＳを形成することにより、保守スペースＳを狭小にできるので、前扉２２０の前面２２０ａに鍵部２３０を設けた従来構造（図６参照）に比較して、鍵部５が破壊されにくくなり、ひいては、鍵部５を破壊して筐体３内の現金を強奪する犯罪行為を抑制して防犯性能を向上させることができる。
【００３７】
本実施形態では、鍵部５が側壁部４ｃの上部に設けられているので、保守員がメンテナンス作業や点検作業等を行う際に、前扉４の開錠・施錠を立ったまま行えるため、メンテナンス作業や点検作業等をスムーズに行うことができる。
【００３８】
本実施形態では、鍵検知部５１が、側壁部４ｃの上部に設けられた鍵部５の鍵穴５ａに鍵が挿入されたことを検知し、制御部３６が、鍵検知部５１の検知結果に基づいて、操作表示部３１に保守画面を表示させるよう制御したので、保守員がメンテナンス作業や点検作業等を行う際に、保守画面の表示を確認しながら、前扉４の開錠・施錠を行えるため、メンテナンス作業や点検作業等をスムーズに行うことができる。
【００３９】
以上、本発明の実施形態について説明したが、本発明の趣旨を逸脱しない範囲で適宜変更して実施できるのはいうまでもない。
【００４０】
本実施形態では、本発明に係る自動取引装置の防犯構造を現金自動預払装置１に適用したが、本発明はこれに限定されるものではなく、例えば、発券機や自動販売機等の現金自動預払装置１以外の自動取引装置に適用してもよい。
【００４１】
本実施形態では、鍵部５が側壁部４ｃに設けられているが、本発明はこれに限定されるものではなく、側壁部４ｂに設けられてもよい。この場合、側壁部４ｃが筐体３にヒンジ固定されるように構成する。
【００４２】
本実施形態では、鍵部５が側壁部４ｃの上部に設けられているが、本発明はこれに限定されるものではなく、例えば、側壁部４ｃの下部や中央部等に設けられてもよい。
【００４３】
本実施形態では、単一の鍵部５を設けたが、本発明はこれに限定されるものではなく、複数の鍵部５を設けてもよい。この場合、前扉４を開錠又は施錠できる鍵部５と、前扉４を開錠又は施錠できない偽の鍵部（ダミー用鍵部）と、を混在して設けてもよい。
【００４４】
本実施形態では、鍵検知部５１は、鍵部５の鍵穴５ａに鍵が挿入されたことを検知するように構成されたが、本発明はこれに限定されるものではなく、例えば、挿入された鍵が回されたことを検知するように構成されてもよい。この場合、鍵検知部５１が、鍵部５の鍵穴５ａに鍵が挿入されて回されたことを検知すると、制御部３６が、鍵検知部５１の検知結果に基づいて、操作表示部３１に保守画面を表示させるよう制御を行う。
【００４５】
本実施形態では、窪部２ｄが側壁部２ａ，２ｂに形成されているが、本発明はこれに限定されるものではなく、鍵部５が設けられた側壁部４ｃに近接して配置される側壁部２ａに少なくとも形成されていればよい。
【００４６】
図５は、変形例に係る前扉を示す水平断面図である。図５に示すように、前扉４の側壁部４ｃに右端部４ｄ側へ凹設された凹部４ｆを形成し、かかる凹部４ｆに鍵部５（キーシリンダー）を設けてもよい。凹部４ｆの底部には、鍵部５の一部が挿入される孔部４ｇが貫通して形成されている。また、鍵部５のうち外部に露出する露出部５ｂの外端５ｂ１は、凹部４ｆの開口面４ｆ１（側壁部４ｃの外面）よりも内側に位置している。
【００４７】
かかる構成によれば、鍵部５がより一層目立たなくなるので、悪質ないたずらをより一層抑制できる。また、鍵部５がより一層破壊されにくくなり、防犯性能をより一層向上させることができる。更に、鍵部５の露出部５ｂの外端５ｂ１が凹部４ｆの開口面４ｆ１よりも内側に位置しているので、パイプレンチで露出部５ｂを挟み込めず、パイプレンチによる鍵部５の不正開錠を抑制できる。
【００４８】
なお、露出部５ｂの外端５ｂ１は、凹部４ｆの開口面４ｆ１と面一（同一位置）になるように構成されてもよい。要するに、露出部５ｂの外端５ｂ１が凹部４ｆの開口面４ｆ１よりも外側に突出していなければよい。
【符号の説明】
【００４９】
１００  現金自動預払装置の防犯構造（自動取引装置の防犯構造）
１      現金自動預払装置（自動取引装置）
３      筐体
３ａ    前壁部（前面）
３ｃ，３ｄ  側壁部（側面）
３ｇ    開口部
３１    操作表示部
３６    制御部
４      前扉
４ａ    前壁部
４ｂ，４ｃ  側壁部（側面）
４ｆ    凹部
４ｆ１  開口面
５      鍵部
５ａ    鍵穴
５１    鍵検知部
２      ブース（遮蔽部材）
２ａ，２ｂ  側壁部
２ｄ    窪部
Ｓ      保守スペース
【図１】
0006024161.tif 000002
【図２】
0006024161.tif 000003
【図３】
0006024161.tif 000004
【図４】
0006024161.tif 000005
【図５】
0006024161.tif 000006
【図６】
0006024161.tif 000007